(57)【要約】      （修正有）【課題】防水効果や引張り強さを有するファスナーテープを提供する。【解決手段】第１テープ部材１と、第２テープ部材２と、スライダ３を含む。第１テープ部材１を第１ベース部１１に設け、第１ベース部１１に上下層を重ねて伸ばされた第１ライニングテープ１２と、第２ライニングテープ１３を延設され、第１ライニングテープ１２を第１エレメント１４に接続し、第２ライニングテープ１３を側板１５に接続し、側板１５に係止部１５１を延設し、第２テープ部材２を第２ベース部２１に設け、第２ベース部２１に上下層を重ねて伸ばされた第３ライニングテープ２２と、第４ライニングテープ２３を延設し、第３ライニングテープ２２を第２エレメント２４に接続し、第４ライニングテープ２３をスライダヘッド２５に接続し、スライダヘッド２５に挟持空間２５１を凹設し、第１エレメント１４と、第２エレメント２４と、側板１５とスライダヘッド２５をそれぞれスライダ３の内部に設ける。【選択図】図４
0003196270.tif 000002
【実用新案登録請求の範囲】
【請求項１】
ファスナーテープであって、
第１ベース部を設け、前記第１ベース部の一側に同じ方向から延在して、上下層を重ねた第１ライニングテープと第２ライニングテープを設け、前記第２ライニングテープが前記第１ライニングテープの上方の側面に位置していて、かつ前記第１ライニングテープの側縁に第１エレメントを設け、前記第２ライニングテープに側板を設け、前記側板の一側の表面が前記第２ライニングテープの末端に接続していて、かつ前記側板は前記第２ライニングテープの遠端他側の表面に係止部を延在せしめ、前記側板に接続する前記第２ライニングテープの表面に上下２つ側に第１係止面を突き出している第１テープ部材と、
第２ベース部を設け、前記第２ベース部の一側は同じ方向から延在して、上下層を重ねた第３ライニングテープと、第４ライニングテープを設け、前記第４ライニングテープが前記第３ライニングテープの上方の側面に位置していて、かつ前記第３ライニングテープの側縁に第２エレメントを設け、前記第４ライニングテープにスライダヘッドを設け、前記スライダヘッドの一側の表面を前記第４ライニングテープの末端に接続せしめ、かつ前記スライダヘッドが前記第４ライニングテープの遠端他側の表面に挟持空間を凹設する第２テープ部材と、
下方の両側にそれぞれ２つの第１エレメント溝を設け、前記２つの第１エレメント溝の間に第１分離具を設けていて、かつ前記２つの第１エレメント溝は前記第１分離具の側面に第１結合溝を結合して形成し、上方の両側にそれぞれ２つの第２エレメント溝を設け、前記第２エレメント溝が前記第１エレメント溝の真正面に取り付けていて、かつ前記２つの第２エレメント溝の間に第２分離具を設け、前記２つの第２エレメント溝が前記第２分離具の側面に第２結合溝を結合して形成していて、かつ前記第２結合溝が前記第１結合溝の真正面に位置することによって前記第１エレメントと前記第２エレメントを、それぞれ前記２つの第１エレメント溝と前記第１結合溝の内部に位置させ、前記側板と前記スライダヘッドが、それぞれ前記２つの第２エレメント溝と前記第２結合溝の内部に位置するスライダと、を備えることを特徴とする、請求項１記載のファスナーテープ。
【請求項２】
前記スライダヘッドは前記第４ライニングテープに接続する表面の上下両側に第２係止面が突き出され、前記側板は前記第２ライニングテープに接続する表面の上下両側に第１係止面が突き出され、前記スライダは第１結合溝両側の上下表面にそれぞれ第１係止肋材を凸設し、前記スライダは第２結合溝の上下表面にそれぞれ第２係止肋材を凸設することを特徴とする、請求項１記載のファスナーテープ。
【請求項３】
前記スライダの最上面にフックリングを設けていて、前記フックリングに引き手を設けることを特徴とする、請求項１記載のファスナーテープ。
【考案の詳細な説明】
【技術分野】
【０００１】
本考案はファスナーテープに関し、特にエレメントとジップロックを備え合わせた、防水効果や引張り強さを有するファスナーテープに関する。
【背景技術】
【０００２】
一般のファスナーは、２つのエレメントテープに設けるエレメントを設けていて、２つのエレメントテープのエレメントが交差して係合し密着を形成する。前述のエレメントを交差し契合させる技術のおかげでファスナーがずれにくく、かつ良好な引っ張り強さ効果をもつ。
【考案の概要】
【考案が解決しようとする課題】
【０００３】
しかし、この種の設計が往々にして密閉効果が悪いために、防水効果を持っていない。従って、防水効果を要求される物品（例えば、ボールバッグ、手提げバッグ、レーンコートなど）への適用には、ファスナーの外側にカバーシートと、締結具を追加しファスナーを密着させ、カバーシートによってファスナーを遮った上、締結具を用いてカバーシートを固定しなければならず、使用者に不便を掛けている。
【課題を解決するための手段】
【０００４】
本考案の主な目的は、エレメントとジップロックを重ねて取付けることによって、ファスナーテープに良い引っ張り強さ効果をもたせると同時に、防水効果を有しており、使用者の利用に便利を提供する。
【０００５】
前述の目的を達成するため、本考案は、第１テープ部材、第２テープ部材と、スライダを含む。第１テープ部材を第１ベース部に設け、第１ベース部に上下層を重ねて伸ばされた第１ライニングテープと、第２ライニングテープを延設し、第１ライニングテープを第１エレメントに接続し、第２ライニングテープを側板に接続し、側板に係止部を延設し、第２テープ部材を第２ベース部に設け、第２ベース部に上下層を重ねて伸ばされた第３ライニングテープと、第４ライニングテープを延設し、第３ライニングテープを第２エレメントに接続し、第４ライニングテープをスライダヘッドに接続し、スライダヘッドに挟持空間を凹設して、第１エレメントと、第２エレメントと、側板と、スライダヘッドをそれぞれスライダの内部に設け、使用者の手によってスライダ引くことによって、第１エレメントと、第２エレメントが互いに噛み合わせて、係止部が挟持空間に係合され、ファスナーテープに極めて良い引っ張り強さと、防水効果を持たせることができる。
【図面の簡単な説明】
【０００６】
【図１】本考案のファスナーテープの一側から見た立体外観図である。
【図２】本考案のファスナーテープの他側から見た立体外観図である。
【図３】本考案のファスナーテープの立面図である。
【図４】本考案のファスナーテープの背面図である。
【図５】本考案のファスナーテープのスライダの一側から見た立体外観図である。
【図６】本考案のファスナーテープのスライダの他側から見た立体外観図である。
【図７】本考案のファスナーテープの使用態様図である。
【考案を実施するための形態】
【０００７】
以下、添付図面を参照して本考案の実施の形態を詳細に説明する。
【実施例】
【０００８】
図１ないし７を参照する。図から分かるように、第１テープ部材１と、第２テープ部材２とスライダ３を備える。そのうち、
【０００９】
第１テープ部材１に第１ベース部１１を設け、第１ベース部１１の一側が同じ方向から延在して、上下層を重ねた第１ライニングテープ１２と、第２ライニングテープ１３を設け、第２ライニングテープ１３が第１ライニングテープ１２上方の側面に位置していて、かつ第１ライニングテープ１２の側縁に第１エレメント１４を設け、第２ライニングテープ１３に側板１５を設け、側板１５一側の表面を第２ライニングテープ１３の末端に接続していて、かつ側板１５は第２ライニングテープ１３の遠端他側の表面に係止部１５１を延在し、側板１５に接続する第２ライニングテープ１３の表面に上下２つ側に第１係止面１５２が突き出している。
【００１０】
第２テープ部材１に第２ベース部２１を設け、第２ベース部２１の一側が同じ方向から延在して、上下層を重ねた第３ライニングテープ２２と、第４ライニングテープ２３を設け、第３ライニングテープ２３が第３ライニングテープ２２上方の側面に位置していて、かつ第３ライニングテープ２２の側縁に第２エレメント２４を設け、第４ライニングテープ２３にスライダヘッド２５を設け、スライダヘッド２５一側の表面を第４ライニングテープ２３の末端に接続していて、かつ側板２５は第４ライニングテープ２３の遠端他側の表面に挟持空間２５１を延在し、スライダヘッド２５に接続する第４ライニングテープ２３の表面に上下２つ側に第２係止面２５２が突き出している。
【００１１】
スライダ３の下方の両側にそれぞれ２つの第１エレメント溝３１を設け、２つの第１エレメント溝３１の間に第１分離具３２を設けていて、かつ２つの第１エレメント溝３１が第１分離具３２側に第１結合溝３３を結合して形成し、第１結合溝３３の両側の上下表面にそれぞれ第１係止肋材３７を凸設し、スライダ３の上方の両側にそれぞれ２つの第２エレメント溝３４を設け、第２エレメント溝３４が第１エレメント溝３１の真正面に位置し、２つの第２エレメント溝３４の間に第２分離具３５を設けていて、かつ２つの第２エレメント溝３４が第２分離具３５側に第２結合溝３６を結合して形成し、第２結合溝３６の両側の上下表面にそれぞれ第２係止肋材３８を凸設し、第２結合溝３６が第１結合溝３３の真正面に位置し、スライダ３の最上面にフックリング３９を設け、フックリング３９に引き手４を設けることによって、第１エレメント１４と第２エレメント２４をそれぞれ２つの第１エレメント溝３１と、第１結合溝３３の内部に位置し、側板１５と、スライダヘッド２５がそれぞれ２つの第２エレメント溝３４と、第２結合溝３６の内部に位置されている。
【００１２】
これにより、本考案を使用するときは、まず第１テープ部材１の第１ベース部１１と、第２テープ部材２の第２ベース部２１をそれぞれ結合具５両端の外周部に粘着または縫合して置く。結合具５は、例えば、ボールバッグ、手提げバッグ、レーンコートまたはスーツケースなどであっても良い。第１エレメント１４と第２エレメント２４及び、側板１５とスライダヘッド２５を互いに分離する第１分離具３２と、第２分離具３５の両側に位置し、使用者の手によって引き手４を引っ張ると、スライダ３を同時に第１ライニングテープ１２と第３ライニングテープ２２及び、第２ライニングテープ１３と第４ライニングテープ２３の一端から他端へ滑り移動される。このときは第１エレメント１４と、第２エレメント２４が互いに寄せ合わされると同時に、第１係止肋材３７の内壁によって導かれ、第１エレメント１４と第２エレメント２４を第１結合溝３３の内部に制限しておき、第１エレメント１４と第２エレメント２４が交差して係合し密着を形成する。仮に結合具５が外力で引っ張られても、第１エレメント１４と第２エレメント２４がずれて分離されることなく、良好な引っ張り強さの効果を達成できる。さらに、側板１５とスライダヘッド２５が互いに寄せ合わされると同時に、側板１５の第１係止面１５２とスライダヘッド２５の第２係止面２５２が第２係止肋材３８の内壁を介して導かれて、側板１５とスライダヘッド２５を第２結合溝３６の内部に制限し、係止部１５１を挟持空間２５１の内部に固定され、係止部１５１と挟持空間２５１が緊密な噛み合わせ状態を形成する。このときは、風や液体はフックリング３９の組み合わせた側板１５とスライダヘッド２５の一側に入り込めない、組み合わせた側板１５とスライダヘッド２５の他側に浸透されず、良い風除けと防水効果を達成し、風除けと防水を必要とする物品（例えば、レーンコート）に適用できる。もし、結合具５の開口部を分離させたいときには、使用者が手で引き手４を逆方向に引っ張り、第１分離具３２を第１エレメント１４と、第２エレメント２４との間に当接させ、第１係止肋材３７の内部に導き、第１エレメント１４と第２エレメント２４を第１分離具３２の両側に分離させる。第２分離具３５が側板１５とスライダヘッド２５との間に当接していて、かつ第２係止肋材３８の内壁によって導かれて、側板１５とスライダヘッド２５を第２分離具３５の両側に分離させる。係止部１５１が挟持空間２５１を離脱し、スライダ３を元の位置に戻す。
【符号の説明】
【００１３】
１      第１テープ部材
１１    第１ベース部
１２    第１ライニングテープ
１３    第２ライニングテープ
１４    第１エレメント
１５    側板
１５１  係止部
１５２  第１係止面
２      第２テープ部材
２１    第２ベース部
２２    第３ライニングテープ
２３    第４ライニングテープ
２４    第２エレメント
２５    スライダヘッド
２５１  挟持空間
２５２  第２係止面
３      スライダ
３１    第１エレメント溝
３２    第１分離具
３３    第１結合溝
３４    第２エレメント溝
３５    第２分離具
３６    第２結合溝
３７    第１係止肋材
３８    第２係止肋材
３９    フックリング
４      引き手
５      連結具
【図１】
0003196270.tif 000003
【図２】
0003196270.tif 000004
【図３】
0003196270.tif 000005
【図４】
0003196270.tif 000006
【図５】
0003196270.tif 000007
【図６】
0003196270.tif 000008
【図７】
0003196270.tif 000009